(57)【要約】【課題】本発明は、無線ＬＡＮを構築するための無線通信カード、カードスロット及び情報処理装置に関し、安定した無線データ伝送を行うことができる無線通信カード、カードスロット及び情報処理装置を提供することを目的とする。【解決手段】無線通信回路を備えた基板と、基板の表側を覆うトップカバー１０と、基板の裏側を覆うボトムカバー１２と、トップカバー１０又はボトムカバー１２のうち少なくとも一方の表面又は裏面に貼付された電波吸収部材１８とを有するように構成する。【選択図】　　図１
2004135237.tif 000002
【特許請求の範囲】
【請求項１】
無線通信回路を備えた基板と、
前記基板の表側又は裏側のうち少なくとも一方に配置された電波吸収部材と
を有することを特徴とする無線通信カード。
【請求項２】
請求項１記載の無線通信カードであって、
前記基板の表側を覆うトップカバーと、前記基板の裏側を覆うボトムカバーとをさらに有し、
前記電波吸収部材は、前記トップカバー又は前記ボトムカバーのうち少なくとも一方の表面又は裏面に貼付されていること
を特徴とする無線通信カード。
【請求項３】
請求項１記載の無線通信カードであって、
前記基板の表側を覆うトップカバーと、前記基板の裏側を覆うボトムカバーとをさらに有し、
前記電波吸収部材は、前記トップカバー又は前記ボトムカバーのうち少なくとも一方の表面又は裏面に塗布されていること
を特徴とする無線通信カード。
【請求項４】
請求項１記載の無線通信カードであって、
前記基板の表側を覆うトップカバーと、前記基板の裏側を覆うボトムカバーとをさらに有し、
前記トップカバー又は前記ボトムカバーのうち少なくとも一方は、前記電波吸収部材で形成されていること
を特徴とする無線通信カード。
【請求項５】
無線通信カードが装着される装着部と、
前記無線通信カードの表側又は裏側のうち少なくとも一方に対向した前記装着部が有する面に配置された電波吸収部材と
を有することを特徴とするカードスロット。
【請求項６】
無線通信カードが装着される装着部と、
前記無線通信カードの表側又は裏側のうち少なくとも一方に対向した前記装着部が有する面に配置された電波吸収部材と
を有することを特徴とする情報処理装置。
【発明の詳細な説明】
【０００１】
【発明の属する技術分野】
本発明は、無線ＬＡＮを構築するための無線通信カード、カードスロット及び情報処理装置に関する。
【０００２】
【従来の技術】
近年、例えばＩＥＥＥ８０２．１１シリーズの規格に代表される無線ＬＡＮ（ローカル・エリア・ネットワーク）によるデータ通信が普及しつつある。無線ＬＡＮでは、電波による無線ネットワークを構築し、ＰＣ（パーソナル・コンピュータ）同士あるいはＰＣとプリンタ等の周辺装置との間でデータを送受信することができる。
【０００３】
例えばＩＥＥＥ８０２．１１ｂでは、２．４ＧＨｚ帯の電波を使用して、低速の有線ＬＡＮとほぼ同等の１０Ｍｂｐｓ程度のデータ転送速度で、距離１０ｍから１００ｍ程度の範囲に無線ネットワークを構築することができる。ＩＥＥＥ８０２．１１ｂでは、ノイズの混入や盗聴防止のため、スペクトラム拡散方式の１つである直接拡散方式による無線通信が採用されている。
【０００４】
通信形態としては、送受信装置間で直接データ送受信を行うアドホック方式や、アクセスポイントを設けてアクセスポイントを介してデータ送受信を行うインフラストラクチャ方式などがある。無線ＬＡＮを実現するには、無線ＬＡＮアダプタを各ＰＣや周辺装置に装着し、必要に応じてアクセスポイントを設置する。無線ＬＡＮアダプタには、ＰＣカード（無線ＬＡＮカード）やｍｉｎｉ−ＰＣＩモジュール等が用いられる。
【０００５】
また最近では、ＩＥＥＥ８０２．１１ａに準拠した無線ＬＡＮカードが実用化されている。ＩＥＥＥ８０２．１１ａは、５ＧＨｚ帯の電波を使用し、ＯＦＤＭ変調方式（直交周波数分割多重変調方式）を採用することで、最大５４Ｍｂｐｓの伝送レートを実現している。
【０００６】
【発明が解決しようとする課題】
ところが、従来の無線ＬＡＮカード等を複数のＰＣや周辺装置に装着して無線ＬＡＮを構築し、データ伝送のスループット（単位時間当たりのデータ伝送量）を測定したところ、スループットが低下していることがあることが分かった。データ伝送のスループットの低下は、ＰＣ、ルータ、あるいはアクセスポイント等の情報処理装置のカードスロット内のシャーシから無線ＬＡＮカード上の無線通信回路に放射される放射ノイズにより生じる。このため、安定した無線データ伝送ができないという問題が生じている。
【０００７】
本発明の目的は、安定した無線データ伝送を行うことができる無線通信カード、カードスロット及び情報処理装置を提供することにある。
【０００８】
【課題を解決するための手段】
上記目的は、無線通信回路を備えた基板と、前記基板の表側又は裏側のうち少なくとも一方に配置された電波吸収部材とを有することを特徴とする無線通信カードによって達成される。
【０００９】
上記本発明の無線通信カードであって、前記基板の表側を覆うトップカバーと、前記基板の裏側を覆うボトムカバーとをさらに有し、前記電波吸収部材は、前記トップカバー又は前記ボトムカバーのうち少なくとも一方の表面又は裏面に貼付されていることを特徴とする。
【００１０】
上記本発明の無線通信カードであって、前記基板の表側を覆うトップカバーと、前記基板の裏側を覆うボトムカバーとをさらに有し、前記電波吸収部材は、前記トップカバー又は前記ボトムカバーのうち少なくとも一方の表面又は裏面に塗布されていることを特徴とする。
【００１１】
上記本発明の無線通信カードであって、前記基板の表側を覆うトップカバーと、前記基板の裏側を覆うボトムカバーとをさらに有し、前記トップカバー又は前記ボトムカバーのうち少なくとも一方は、前記電波吸収部材で形成されていることを特徴とする。
【００１２】
また、上記目的は、無線通信カードが装着される装着部と、前記無線通信カードの表側又は裏側のうち少なくとも一方に対向した前記装着部が有する面に配置された電波吸収部材とを有することを特徴とするカードスロットによって達成される。
【００１３】
さらに、上記目的は、無線通信カードが装着される装着部と、前記無線通信カードの表側又は裏側のうち少なくとも一方に対向した前記装着部が有する面に配置された電波吸収部材とを有することを特徴とする情報処理装置によって達成される。
【００１４】
【発明の実施の形態】
本発明の第１の実施の形態による無線通信カードについて図１及び図２を用いて説明する。図１は、本実施の形態による無線通信カードである無線ＬＡＮカードの構成を示している。本実施の形態では、無線ＬＡＮカードとしてＰＣカードが用いられている。
【００１５】
ＰＣカードは、ＰＣＭＣＩＡ（Ｐｅｒｓｏｎａｌ　Ｃｏｍｐｕｔｅｒ　Ｍｅｍｏｒｙ　Ｃａｒｄ　Ｉｎｔｅｒｎａｔｉｏｎａｌ　Ａｓｓｏｃｉａｔｉｏｎ）が発表した統一規格（ＰＣ　Ｃａｒｄ　Ｓｔａｎｄａｒｄ）に基づいて国際標準化されている。ＰＣカードの物理的仕様（外形寸法）は、８５．６（ｍｍ）×５４．０（ｍｍ）のカード型であり、厚さの相違によりタイプＩ、タイプＩＩ、タイプＩＩＩに区分されている。ＰＣカードの厚さは、タイプＩが３．３ｍｍ、タイプＩＩが５ｍｍ、タイプＩＩＩが１０ｍｍと規定されている。また、長手方向に長さが延長された拡張（Ｅｘｔｅｎｄｅｄ）型のカードもある。ＰＣカードのコネクタには、６８ピンを有するツーピースコネクタが採用されている。ＰＣカードは、携帯可能なＰＣ等に設けられたＰＣカードインターフェースのＰＣカードスロットに当該コネクタを差し込んで使用され、使用しない場合にはＰＣカードスロットから引き抜くことができるようになっている。
【００１６】
無線ＬＡＮカードとしては、ＰＣカードの他に、ＣＦ（Ｃｏｍｐａｃｔ　Ｆｌａｓｈ；サンディスク社の登録商標）カード等も用いられる。ＣＦカードは、ＣＦＡ（Ｃｏｍｐａｃｔ　Ｆｌａｓｈ　Ａｓｓｏｃｉａｔｉｏｎ）が提唱する規格である。外形寸法は３６．４（ｍｍ）×４２．８（ｍｍ）のカード型であり、厚さの相違によりタイプＩ、タイプＩＩに区分されている。ＣＦカードの厚さは、タイプＩが３．３ｍｍ、タイプＩＩが５ｍｍと規定されている。
【００１７】
また本実施の形態による無線ＬＡＮカードは、無線ＬＡＮ方式ＩＥＥＥ８０２．１１ａに準拠しており、具体的には、５ＧＨｚ帯を利用し、ＯＦＤＭ変調方式を採用することで、最大５４Ｍｂｐｓの伝送レートに対応している。
【００１８】
図１に示すように、無線ＬＡＮカード２は、例えば金属製のトップカバー１０とボトムカバー１２とを有している。図示していないが、無線ＬＡＮカード２は、トップカバー１０とボトムカバー１２との間に、無線通信回路を構成する電子部品等が実装された基板と、基板を支持するフレームとを有している。また、無線ＬＡＮカード２の長手方向の一端側には、ＰＣ側と接続されるコネクタ部１４が設けられ、他端側にはアンテナが収納されたアンテナ収納部１６が設けられている。
【００１９】
トップカバー１０の表面には、ＥＭＩ（ＥｌｅｃｔｒｏＭａｇｎｅｔｉｃ　Ｉｎｔｅｒｆｅｒｅｎｃｅ）対策として、シート状の電波吸収部材１８が貼付されている。電波吸収部材１８は、例えば磁性材料と合成ゴムの混合により形成されている。電波吸収部材１８は、トップカバー１０の裏面（無線ＬＡＮカード２の内側）に貼付してもよい。電波吸収部材１８は、ＰＣカードスロット内のシャーシ（図示せず）から放射される放射ノイズを吸収し、データ伝送のスループットの低下を防止している。電波吸収部材１８は、粘着ラベルを兼ねていてもよい。また、電波吸収部材１８は、ボトムカバー１２の表面又は裏面に貼付してもよい。
【００２０】
図２は、本実施の形態による無線通信カードのスループットを測定する際の状態を模式的に示している。図２に示すように、ＰＣに備えられた上下２段のＰＣカードスロット２０のうち、下段に従来の無線ＬＡＮカード２’（例えばＰＣカードタイプＩＩ）を装着する。上段には、本実施の形態で用いられている電波吸収部材１８と同一の材料からなるカード型の電波吸収部材１８’を取り付けられるようになっている。電波吸収部材１８’は、例えばＰＣカードタイプＩＩとほぼ同一の外形寸法で形成されている。すなわち、図２に示す電波吸収部材１８’を取り付けた状態は、無線ＬＡＮカードの無線通信回路、電波吸収部材、及びＰＣカードスロット内のシャーシが、本実施の形態による無線ＬＡＮカード２を実際に使用している状態とほぼ同様の配置になっている。
【００２１】
図２に示すような測定方法を用いて、電波吸収部材１８’を取り付けた場合と、電波吸収部材１８’を取り付けていない場合との双方で、他のＰＣとの間のデータ伝送のスループットを測定する。
【００２２】
【表１】
2004135237.tif 000003
【００２３】
表１は、電波吸収部材１８’を取り付けた場合（電波吸収部材１８’あり）と電波吸収部材１８’を取り付けていない場合（電波吸収部材１８’なし）のデータ伝送のスループット（送信スループット）の測定結果を示している。表１に示すように、電波吸収部材１８’を取り付けていない場合の送信スループットが２２００ｋＢ／ｓｅｃ（約１７．６Ｍｂｐｓ）であるのに対して、電波吸収部材１８’を取り付けた場合の送信スループットは２８５１ｋＢ／ｓｅｃ（約２２．８Ｍｂｐｓ）になっている。すなわち、無線ＬＡＮカード２’の上方に配置された電波吸収部材１８’により、送信スループットが約３０％向上していることが分かる。したがって、本実施の形態の無線ＬＡＮカード２によれば、図２に示す電波吸収部材１８’を取り付けた状態とほぼ同様の状態を実現できるため、送信スループットが向上する。したがって、安定した無線データ伝送を実現できる。
【００２４】
なお、無線ＬＡＮカード２の基板裏面側はグランド電位に維持されているため、ＰＣカードスロット２０内のシャーシからの放射ノイズはある程度遮蔽される。したがって、無線ＬＡＮカード２の基板表面側に電波吸収部材を配置するのがより効果的である。つまり、無線通信カードは無線部（ＲＦ部）にノイズの影響を受け易い。このため、この無線部が載置された基板面側のカバーに電波吸収部材１８を設けることが好ましい。
【００２５】
次に、本発明の第２の実施の形態による情報処理装置について図３を用いて説明する。図３は、本実施の形態による情報処理装置の構成を示している。図３に示すように、情報処理装置であるノート型のＰＣ４は、例えば図２に示したようなＰＣカードスロット２０等のカードスロットを有している。ＰＣカードスロット２０は、従来の無線ＬＡＮカード２’等のＰＣカードが抜き差し自在に装着できる装着部を有している。ＰＣカードスロット２０内のシャーシ内側のうち、無線ＬＡＮカード２’の表側に対向する面ａ又は無線ＬＡＮカード２’の裏面側に対向する面ｂのうち少なくともいずれか一方、あるいはＰＣカードスロット２０内のシャーシ内側全体には、電波吸収部材１８が貼付されている。電波吸収部材１８は、例えば磁性材料と合成ゴムの混合により形成され、例えばシート状の形状を有している。
【００２６】
本実施の形態の情報処理装置によれば、従来の無線ＬＡＮカード２’等が装着された際に、図２に示す電波吸収部材１８’を取り付けた状態とほぼ同様の状態を実現できるため、第１の実施の形態と同様に送信スループットが向上する。したがって、安定した無線データ伝送を実現できる。
【００２７】
次に、本発明の第３の実施の形態によるカードスロットについて図４を用いて説明する。図４は、本実施の形態によるカードスロットの構成を示している。図４に示すように、ＰＣカードスロット２２は、例えばＰＣＩバス用のＬＡＮカードアダプタ３０の一部を構成し、基板３２上に取り付けられている。ＰＣカードスロット２２は、抜き差し自在に装着される無線ＬＡＮカード２’（図４では図示せず）等のコネクタが接続されるコネクタ部２４と、ＰＣカードの両側部をガイドするガイド部２６、２７とからなる装着部を有している。装着された無線ＬＡＮカード２’の裏面に対向する面には、例えば磁性材料と合成ゴムの混合により形成され、例えばシート状の電波吸収部材１８が貼付されている。本実施の形態によるＰＣカードスロット２２は、装着された無線ＬＡＮカード２’の表面が露出する構成を有しているが、無線ＬＡＮカード２’の表面を覆うように配置され、無線ＬＡＮカード２’の表面に対向する面に電波吸収部材１８が貼付されたカバーを有していてもよい。
【００２８】
本実施の形態によれば、従来の無線ＬＡＮカード２’等が装着された際に、図２に示す電波吸収部材１８’を取り付けた状態とほぼ同様の状態を実現できるため、第１及び第２の実施の形態と同様に送信スループットが向上する。したがって、安定した無線データ伝送を実現できる。
【００２９】
本発明は、上記実施の形態に限らず種々の変形が可能である。
例えば、上記実施の形態では、シート状の電波吸収部材１８を貼付しているが、本発明はこれに限らず、電波吸収材料を混入した塗料等を塗布して電波吸収部材１８を形成してもよい。また、無線ＬＡＮカード２のトップカバー１０又はボトムカバー１２や、ＰＣカードスロット２０内のシャーシを電波吸収部材１８で形成してもよい。
【００３０】
【発明の効果】
以上の通り、本発明によれば、安定した無線データ伝送を行うことができる無線通信カード、カードスロット及び情報処理装置を実現できる。
【図面の簡単な説明】
【図１】本発明の第１の実施の形態による無線通信カードの構成を示す斜視図である。
【図２】本発明の第１の実施の形態による無線通信カードの効果の測定方法を模式的に示す図である。
【図３】本発明の第２の実施の形態による情報処理装置の構成を示す斜視図である。
【図４】本発明の第３の実施の形態によるカードスロットの構成を示す斜視図である。
【符号の説明】
２　無線ＬＡＮカード
４　ＰＣ
１０　トップカバー
１２　ボトムカバー
１４　コネクタ部
１６　アンテナ収納部
１８　電波吸収部材
２０、２２　ＰＣカードスロット
２４　コネクタ部
２６、２７　ガイド部
３０　ＬＡＮカードアダプタ
３２　基板
【図１】
2004135237.tif 000004
【図２】
2004135237.tif 000005
【図３】
2004135237.tif 000006
【図４】
2004135237.tif 000007